(57)【要約】【課題】  適切に消費電力を低減する光端局装置、通信システム、及び通信制御方法を提供する。【解決手段】  光端局装置は、基地局装置に接続された複数の光終端装置とＰＯＮで接続され、ＰＯＮを介し基地局装置と通信する制御装置に接続された光端局装置において、制御装置から基地局装置へのスリープ要求を検出する検出部と、検出部がスリープ要求を検出したとき、スリープ要求の要求先の基地局装置と所定の関係にある他の基地局装置のＰＯＮ内の不足帯域に基づき、スリープ要求に従い要求先の基地局装置をスリープ状態とする処理の可否を判定する判定部と、判定部が処理を不可と判定した場合、スリープ要求を廃棄し、判定部が処理を可能と判定した場合、スリープ要求を要求先の基地局装置へ転送する制御部とを有する。【選択図】図６
2017118463.tif 000002
【特許請求の範囲】
【請求項１】
基地局装置に接続された複数の光終端装置とＰＯＮで接続され、前記ＰＯＮを介し前記基地局装置と通信する制御装置に接続された光端局装置において、
前記制御装置から前記基地局装置へのスリープ要求を検出する検出部と、
前記検出部が前記スリープ要求を検出したとき、前記スリープ要求の要求先の前記基地局装置と所定の関係にある他の前記基地局装置の前記ＰＯＮ内の不足帯域に基づき、前記スリープ要求に従い要求先の前記基地局装置をスリープ状態とする処理の可否を判定する判定部と、
前記判定部が前記処理を不可と判定した場合、前記スリープ要求を廃棄し、前記判定部が前記処理を可能と判定した場合、前記スリープ要求を要求先の前記基地局装置へ転送する制御部とを有することを特徴とする光端局装置。
【請求項２】
前記制御部は、前記判定部が前記処理を可能と判定した場合、前記複数の光終端装置のうち、要求先の前記基地局装置に接続された光終端装置をスリープ状態とすることを特徴とする請求項１に記載の光端局装置。
【請求項３】
前記複数の光終端装置の各々からの帯域の要求に応じて前記ＰＯＮ内の帯域を前記複数の光終端装置の各々に割り当てる割り当て部を、さらに有し、
前記判定部は、前記複数の光終端装置のうち、前記スリープ要求の要求先の前記基地局装置と所定の関係にある他の前記基地局装置に接続された光終端装置から要求された帯域が、前記割り当て部により該光終端装置に割り当てられた帯域以上である場合、前記処理を不可と判定することを特徴とする請求項１または２に記載の光端局装置。
【請求項４】
前記複数の光終端装置のうち、一部の光終端装置は前記基地局装置に接続され、他の光終端装置は前記基地局装置以外の他装置に接続され、
時刻を計時する計時部を、さらに有し、
前記割り当て部は、前記時刻に応じて、前記一部の光終端装置及び前記他の光終端装置の一方に対して他方より優先的に帯域を割り当てることを特徴とする請求項３に記載の光端局装置。
【請求項５】
前記基地局装置の位置を示す位置情報を保持する保持部を、さらに有し、
前記判定部は、前記検出部が前記スリープ要求を検出したとき、前記位置情報に基づき、前記スリープ要求の要求先の前記基地局装置から所定の距離内に位置する他の前記基地局装置を検索し、検索された前記基地局装置の前記ＰＯＮ内の不足帯域に基づき、前記処理の可否を判定することを特徴とする請求項１乃至４の何れかに記載の光端局装置。
【請求項６】
前記基地局装置が属するグループを示すグループ情報を保持する保持部を、さらに有し、
前記判定部は、前記検出部が前記スリープ要求を検出したとき、前記グループ情報に基づき、前記スリープ要求の要求先の前記基地局装置と同じグループに属する他の前記基地局装置を検索し、検索された前記基地局装置の前記ＰＯＮ内の不足帯域に基づき、前記処理の可否を判定することを特徴とする請求項１乃至４の何れかに記載の光端局装置。
【請求項７】
ＰＯＮで接続された光端局装置及び複数の光終端装置を有する通信システムにおいて、
前記複数の光終端装置の一部は、基地局装置に接続されており、
前記光端局装置は、前記ＰＯＮを介し前記基地局装置と通信する制御装置に接続されており、
前記光端局装置は、
前記制御装置から前記基地局装置へのスリープ要求を検出する検出部と、
前記検出部が前記スリープ要求を検出したとき、前記スリープ要求の要求先の前記基地局装置と所定の関係にある他の前記基地局装置の前記ＰＯＮ内の不足帯域に基づき、前記スリープ要求に従い要求先の前記基地局装置をスリープ状態とする処理の可否を判定する判定部と、
前記判定部が前記処理を不可と判定した場合、前記スリープ要求を廃棄し、前記判定部が前記処理を可能と判定した場合、前記スリープ要求を要求先の前記基地局装置へ転送し、前記複数の光終端装置のうち、要求先の前記基地局装置に接続された光終端装置をスリープ状態とする制御部とを有することを特徴とする通信システム。
【請求項８】
基地局装置に接続された複数の光終端装置とＰＯＮで接続され、前記ＰＯＮを介し前記基地局装置と通信する制御装置に接続された光端局装置の通信制御方法において、
前記制御装置から前記基地局装置へのスリープ要求を検出し、
前記スリープ要求の要求先の前記基地局装置と所定に関係にある他の前記基地局装置の前記ＰＯＮ内の不足帯域に基づき、前記スリープ要求に従い要求先の前記基地局装置をスリープ状態とする処理の可否を判定し、
前記処理を不可と判定した場合、前記スリープ要求を廃棄し、
前記処理を可能と判定した場合、前記スリープ要求を要求先の前記基地局装置へ転送することを特徴とする通信制御方法。
【発明の詳細な説明】
【技術分野】
【０００１】
本件は、光端局装置、通信システム、及び通信制御方法に関する。
【背景技術】
【０００２】
スマートフォンなどの移動端末の普及に伴って、移動端末を無線通信ネットワークに接続する基地局が増加している。とりわけ、マクロセルをカバーするマクロセル基地局の局所的な帯域不足を補うため、マクロセルに重複するように設けられたスモールセルをカバーするスモールセル基地局が増加している（例えば特許文献１参照）。
【０００３】
また、多数の基地局と上位側の収容局を結ぶモバイルバックホールネットワークとして、光ファイバの設置コストが低いＰＯＮ（Passive Optical Network）が用いられる場合がある（例えば特許文献２参照）。例えば、ＩＥＥＥ（the Institute of Electrical and Electrics Engineers, Inc.）８０２．３ａｈには、イーサネット（登録商標、以下同様）に準ずる１（Ｇｂｐｓ）以上のＧＥ（Gigabit Ethernet）−ＰＯＮに関する技術が規定されている（Ethernetは 登録商標、以下同様）。
【０００４】
ＰＯＮは、光端局装置及び複数の光終端装置が、光を分岐する光カプラを介して接続されたスター型のアクセス系光ネットワークである。光端局装置はＯＬＴ（Optical Line Termination）などと呼ばれ、光終端装置はＯＮＵ（Optical Network Unit）などと呼ばれる。モバイルバックホールネットワークとしてＰＯＮを用いた場合、光ファイバの設置コストの低減だけでなく、１台のＯＬＴにより複数の基地局のトラフィックを伝送できるという利点が得られる。
【０００５】
また、例えば、特許文献１及び２に開示されているように、基地局やＯＮＵの動作の一部をトラフィック状況に応じ停止することにより消費電力を低減する技術が知られている。
【先行技術文献】
【特許文献】
【０００６】
【特許文献１】特開２０１１−１０３５７０号公報
【特許文献２】国際公開第ＷＯ２０１４／１０３８０４号
【発明の概要】
【発明が解決しようとする課題】
【０００７】
今後も基地局が増加し続けると、モバイルバックホールネットワークとして利用できるＰＯＮが将来的に不足するおそれがある。これに対し、例えば、オフィスビルなどの加入者宅に設ける一般的な通信回線（例えばインターネットへのアクセス回線）を収容するＰＯＮに、基地局の通信回線を収容することによりＰＯＮの不足を解消することが考えられる。
【０００８】
しかし、この場合、１つのＰＯＮ内に用途の異なる通信回線が混在することになり、また、ＰＯＮ内の帯域は複数のＯＮＵにより共有されるため、基地局の上位の収容局では、基地局のＰＯＮ内のトラフィック状況を把握することが難しい。したがって、消費電力を低減するため、例えば、収容局から移動端末の接続数の少ない基地局をスリープ制御することはできても、トラフィック状況を考えると適切ではない場合があり得る。
【０００９】
そこで本件は上記の課題に鑑みてなされたものであり、適切に消費電力を低減する光端局装置、通信システム、及び通信制御方法を提供することを目的とする。
【課題を解決するための手段】
【００１０】
本明細書に記載の光端局装置は、基地局装置に接続された複数の光終端装置とＰＯＮで接続され、前記ＰＯＮを介し前記基地局装置と通信する制御装置に接続された光端局装置において、前記制御装置から前記基地局装置へのスリープ要求を検出する検出部と、前記検出部が前記スリープ要求を検出したとき、前記スリープ要求の要求先の前記基地局装置と所定の関係にある他の前記基地局装置の前記ＰＯＮ内の不足帯域に基づき、前記スリープ要求に従い要求先の前記基地局装置をスリープ状態とする処理の可否を判定する判定部と、前記判定部が前記処理を不可と判定した場合、前記スリープ要求を廃棄し、前記判定部が前記処理を可能と判定した場合、前記スリープ要求を要求先の前記基地局装置へ転送する制御部とを有する。
【００１１】
本明細書に記載の通信システムは、ＰＯＮで接続された光端局装置及び複数の光終端装置を有する通信システムにおいて、前記複数の光終端装置の一部は、基地局装置に接続されており、前記光端局装置は、前記ＰＯＮを介し前記基地局装置と通信する制御装置に接続されており、前記光端局装置は、前記制御装置から前記基地局装置へのスリープ要求を検出する検出部と、前記検出部が前記スリープ要求を検出したとき、前記スリープ要求の要求先の前記基地局装置と所定の関係にある他の前記基地局装置の前記ＰＯＮ内の不足帯域に基づき、前記スリープ要求に従い要求先の前記基地局装置をスリープ状態とする処理の可否を判定する判定部と、前記判定部が前記処理を不可と判定した場合、前記スリープ要求を廃棄し、前記判定部が前記処理を可能と判定した場合、前記スリープ要求を要求先の前記基地局装置へ転送し、前記複数の光終端装置のうち、要求先の前記基地局装置に接続された光終端装置をスリープ状態とする制御部とを有する。
【００１２】
本明細書に記載の通信制御方法は、基地局装置に接続された複数の光終端装置とＰＯＮで接続され、前記ＰＯＮを介し前記基地局装置と通信する制御装置に接続された光端局装置の通信制御方法において、前記制御装置から前記基地局装置へのスリープ要求を検出し、前記スリープ要求の要求先の前記基地局装置と所定の関係にある他の前記基地局装置の前記ＰＯＮ内の不足帯域に基づき、前記スリープ要求に従い要求先の前記基地局装置をスリープ状態とする処理の可否を判定し、前記処理を不可と判定した場合、前記スリープ要求を廃棄し、前記処理を可能と判定した場合、前記スリープ要求を要求先の前記基地局装置へ転送する。
【発明の効果】
【００１３】
適切に消費電力を低減できる。
【図面の簡単な説明】
【００１４】
【図１】通信システムの一例を示す構成図である。
【図２】上り信号及び下り信号の一例を示す構成図である。
【図３】ＯＬＴの一例を示す構成図である。
【図４】ＯＮＵ管理テーブルの一例を示す図である。
【図５】ＯＮＵの一例を示す構成図である。
【図６】ＯＬＴのスリープ要求の処理の一例を示すフローチャートである。
【図７】通信システムの動作の一例を示すシーケンス図である。
【図８】通信システムの動作の他例を示すシーケンス図である。
【図９】時刻に応じた割り当て帯域の変化の一例を示す図である。
【図１０】ＯＮＵ管理テーブルの他例を示す図である。
【図１１】ＯＬＴの動作の他例を示すフローチャートである。
【発明を実施するための形態】
【００１５】
図１は通信システムの一例を示す構成図である。通信システムは、光端局装置（ＯＬＴ）１と、複数の光終端装置（ＯＮＵ）２ａ〜２ｅと、複数の基地局装置３ａ〜３ｃと、大型基地局装置７と、複数のネットワーク（ＮＷ）装置４ａ，４ｂと、無線ネットワーク（ＮＷ）制御装置５と、光ネットワーク（ＮＷ）中継装置６と、複数の移動端末Ｔとを有する。なお、無線ＮＷ制御装置５は制御装置の一例である。
【００１６】
ＯＬＴ１及び複数のＯＮＵ２ａ〜２ｅは、伝送路である光ファイバＦ及び光カプラ８を介して接続されており、ＰＯＮを構成する。すなわち、ＯＬＴ１及び複数のＯＮＵ２ａ〜２ｅはＰＯＮで接続されている。ＰＯＮとしては、一例としてＩＥＥ８０２．３ａｈに規定されたものを用いることができるが、限定はない。なお、ＯＮＵ２ａ〜２ｅには、各々を識別するためのＯＮＵ−ＩＤ（＃１〜＃５）が付与されている。
【００１７】
ＰＯＮにおいて、ＯＮＵ２ａ〜２ｅからＯＬＴ１に向かう方向は「上り方向」と呼ばれ、ＯＬＴ１からＯＮＵ２ａ〜２ｅに向かう方向は「下り方向」と呼ばれる。上り方向の伝送速度は、例えば１．２５(Gbps)であり、下り方向の伝送速度は、例えば２．４(Gbps)である。
【００１８】
ＯＬＴ１は、各ＯＮＵ２ａ〜２ｅに下り信号Ｓｄを送信し、各ＯＮＵ２ａ〜２ｅは、ＯＬＴ１に上り信号Ｓｕを送信する。上り信号Ｓｕの波長は、例えば１３１０(nm)であり、下り信号Ｓｄの波長は、例えば１４９０(nm)である。
【００１９】
ＯＮＵ（＃１〜＃３）２ａ〜２ｃは基地局装置３ａ〜３ｃにそれぞれ接続されている。基地局装置３ａ〜３ｃは、スモールセルエリアＳＡ＃１〜ＳＡ＃３をそれぞれカバーし、スマートフォンなどの移動端末Ｔと無線リンクを確立することにより、スモールセル基地局＃１〜＃３として機能する。
【００２０】
大型基地局装置７は、マクロセルエリアＭＡをカバーし、移動端末Ｔと無線リンクを確立することにより、マクロセル基地局として機能する。スモールセルエリアＳＡ＃１〜ＳＡ＃３は、マクロセルエリアをカバーするように設けられているため、基地局装置３ａ〜３ｃは、大型基地局装置７の局所的な帯域不足を補うことができる。
【００２１】
一方、ＯＮＵ（＃４，＃５）２ｄ，２ｅは、オフィスビル＃１，＃２に設置されたＮＷ装置４ａ，４ｂに接続されている。ＮＷ装置４ａ，４ｂは、例えばルータであり、ＯＮＵ２ｄ，２ｅをオフィスビル＃１，＃２内のＬＡＮ（Local Area Network）に接続する。このように、ＯＮＵ２ａ〜２ｅのうち、ＯＮＵ２ａ〜２ｃは基地局装置３ａ〜３ｃに接続され、ＯＮＵ２ｄ，２ｅはＮＷ装置４ａ，４ｂに接続されている。なお、ＮＷ装置４ａ，４ｂは、基地局装置３ａ〜３ｃ以外の他装置の一例である。
【００２２】
ＯＮＵ２ａ〜２ｅは、別々の光ファイバＦを介して光カプラ８に接続され、光カプラ８は１本の光ファイバＦを介してＯＬＴ１に接続されている。このため、基地局装置３ａ〜３ｃ及びオフィスビル＃１，＃２の位置に応じて光カプラを適切な位置に配置することにより、光ファイバＦの設置コストが低減される。
【００２３】
なお、本実施例において、ＯＬＴ１には５台のＯＮＵ２ａ〜２ｅが接続されているが、接続数に限定はない。例えば６４台などの多数のＯＮＵをＯＬＴ１に接続する場合、複数の光カプラ８により光ファイバＦを段階的に分岐してＯＮＵをＯＬＴ１に接続してもよい。
【００２４】
ＯＬＴ１は、上位側において光ＮＷ中継装置６及び無線ネットワーク制御装置５と接続されている。光ＮＷ中継装置６及び無線ネットワーク制御装置５は、例えば別々の収容局または同一の収容局に設置されている。
【００２５】
光ＮＷ中継装置６は、例えばエッジルータであり、ＰＯＮを介してＮＷ装置４ａ，４ｂと通信することにより、例えばＮＷ装置４ａ，４ｂとインターネットの間で通信を中継する。また、無線ＮＷ制御装置５は、ＰＯＮを介して基地局装置３ａ〜３ｃと通信することにより、移動端末Ｔの無線通信を制御する。つまり、ＰＯＮには、オフィスビル＃１，＃２のインターネットへのアクセス回線と基地局装置３ａ〜３ｃの通信回線が収容されている。
【００２６】
ＰＯＮでは、ＯＬＴ１と光カプラ８の間の光ファイバＦが複数のＯＮＵ２ａ〜２ｅにより共用されるため、上り方向及び下り方向の伝送方式として時分割多重方式が用いられる。
【００２７】
図２は、上り信号Ｓｕ及び下り信号Ｓｄの一例を示す構成図である。上り信号Ｓｕには、ＯＮＵ２ａ〜２ｅからそれぞれ送信された上りユーザフレームＦＲＭｕ＃１〜＃５及び上り制御信号ＣＴＲｕ＃１〜＃５が含まれる。また、下り信号Ｓｄには、ＯＮＵ２ａ〜２ｅをそれぞれ宛先とする下りユーザフレームＦＲＭｄ＃１〜＃５及び下り制御信号ＣＴＲｄ＃１〜＃５が含まれる。なお、上りユーザフレームＦＲＭｕ＃１〜＃５、上り制御信号ＣＴＲｕ＃１〜＃５、下りユーザフレームＦＲＭｄ＃１〜＃５、及び下り制御信号ＣＴＲｄ＃１〜＃５の形態としては、例えばイーサネットフレームが挙げられるが、これに限定されない。
【００２８】
下り方向において、ＯＬＴ１は、無線ＮＷ制御装置５から受信した基地局装置３ａ〜３ｃ宛てのデータ信号を下りユーザフレームＦＲＭｄ＃１〜＃３に収容して、例えば時系列の順で送信する。また、ＯＬＴ１は、光ＮＷ中継装置６から受信したＮＷ装置４ａ，４ｂ宛てのデータ信号を下りユーザフレームＦＲＭｄ＃４，＃５に収容して、例えば時系列の順で送信する。このため、下り方向においてＯＮＵ２ａ〜２ｅの帯域制御は行われない。
【００２９】
また、ＯＬＴ１は、例えば一定の周期で下り制御信号ＣＴＲｄ＃１〜＃５を生成し、下りユーザフレームＦＲＭｄ＃１〜＃５の間に挿入してＯＮＵ２ａ〜２ｅにそれぞれ送信する。下り制御信号ＣＴＲｄ＃１〜＃５には、例えば、上り信号Ｓｕの送信期間の指示、ＯＮＵ２ａ〜２ｅにスリープ状態への移行を指示するスリープ指示、及びＯＮＵ２ａ〜２ｅに起動を指示する起動指示などが収容されている。
【００３０】
ＯＬＴ１は、下りユーザフレームＦＲＭｄ＃１〜＃５及び下り制御信号ＣＴＲｄ＃１〜＃５に宛先のＯＮＵ２ａ〜２ｅのＯＮＵ−ＩＤを付与する。各ＯＮＵ２ａ〜２ｅは、共通の下り信号Ｓｄを受信するため、下り信号Ｓｄから、自装置のＯＮＵ−ＩＤが付与された下りユーザフレームＦＲＭｄ＃１〜＃５及び下り制御信号ＣＴＲｄ＃１〜＃５を取得する。
【００３１】
これにより、ＯＮＵ２ａ〜２ｃは、下りユーザフレームＦＲＭｄ＃１〜＃３から無線ＮＷ制御装置５のデータ信号を受信し、ＯＮＵ２ｄ，２ｅは、下りユーザフレームＦＲＭｄ＃４，＃５から光ＮＷ中継装置６のデータ信号を受信する。なお、悪意のあるユーザにより、他のＯＮＵ２ａ〜２ｅ宛の下りユーザフレームＦＲＭｄ＃１〜＃５が不正に取得されないように、ＯＬＴ１は、下り信号Ｓｄに例えばＡＥＳ（Advanced Encryption Standard）方式などの暗号化処理を行ってもよい。
【００３２】
一方、上り方向において、ＯＮＵ２ａ〜２ｃは、基地局装置３ａ〜３ｃから受信したデータ信号を上りユーザフレームＦＲＭｕ＃１〜＃３に収容し、ＯＬＴ１に指示された送信期間においてＯＬＴ１に送信する。また、ＯＮＵ２ｄ，２ｅは、ＮＷ装置４ａ，４ｂから受信したデータ信号を上りユーザフレームＦＲＭｕ＃４，＃５に収容し、ＯＬＴ１に指示された送信期間においてＯＬＴ１に送信する。ここで、送信期間とは、ＯＬＴ１及びＯＮＵ２ａ〜２ｅの間で同期した時刻（タイマ値）において、ＯＮＵ２ａ〜２ｅごとの上り信号Ｓｕの送信可能な時間領域、つまり送信開始時刻と送信終了時刻を指す。
【００３３】
また、ＯＮＵ２ａ〜２ｅは、上り制御信号ＣＴＲｕ＃１〜＃５を生成し、上りユーザフレームＦＲＭｕ＃１〜＃５とともにＯＬＴ１に送信する。上り制御信号ＣＴＲｕ＃１〜＃５には、ＯＬＴ１に対する上り信号Ｓｕの帯域の要求値などが収容されている。
【００３４】
各ＯＮＵ２ａ〜２ｅは、上りユーザフレームＦＲＭｕ＃１〜＃５及び上り制御信号ＣＴＲｕ＃１〜＃５に自装置のＯＮＵ−ＩＤを付与する。このため、ＯＬＴ１は、ＯＮＵ−ＩＤに基づいて、上り信号ＳｕからＯＮＵ２ａ〜２ｅごとの上りユーザフレームＦＲＭｕ＃１〜＃５及び上り制御信号ＣＴＲｕ＃１〜＃５を取得できる。
【００３５】
また、上り信号Ｓｕの送信に関し、ＯＬＴ１は、ＯＮＵ２ａ〜２ｅに異なる送信期間を指示する。このため、上りユーザフレームＦＲＭｕ＃１〜＃５及び上り制御信号ＣＴＲｕ＃１〜＃５は、送信周期Ｌ内の異なる送信期間Ｔ１〜Ｔ５で送信される。したがって、各ＯＮＵ２ａ〜２ｅの上り信号Ｓｕが衝突することはない。
【００３６】
ＯＬＴ１は、各ＯＮＵ２ａ〜２ｅの上り信号Ｓｕの帯域を動的に制御する。より具体的には、ＯＬＴ１は、上り制御信号ＣＴＲｕ＃１〜＃５に含まれる帯域の要求値に応じてＯＮＵ２ａ〜２ｅに上り方向の帯域を割り当て、割り当て結果に応じた送信期間をＯＮＵ２ａ〜２ｅに指示する。このため、各ＯＮＵ２ａ〜２ｅの送信期間Ｔ１〜Ｔ５は動的に変化する。
【００３７】
このように、ＰＯＮ内の帯域は複数のＯＮＵ２ａ〜２ｅにより共有され、各ＯＮＵ２ａ〜２ｅに割り当てられる帯域は動的に変化する。
【００３８】
再び図１を参照すると、無線ＮＷ制御装置５は、マクロセルエリアＭＡ内のユーザの移動端末Ｔの分布を示すユーザ分布情報を大型基地局装置７から取得する。なお、無線ＮＷ制御装置５と大型基地局装置７の間はＰＯＮまたは他の形態のネットワークにより接続されている。
【００３９】
無線ＮＷ制御装置５は、ユーザ分布情報に基づいてユーザ数の少ないスモールセルエリアＳＡ＃１〜ＳＡ＃３を検出する。つまり、無線ＮＷ制御装置５は、無線リンク数の少ない基地局装置３ａ〜３ｃを検出する。無線ＮＷ制御装置５は、検出した基地局装置３ａ〜３ｃにスリープ要求を送信する。基地局装置３ａ〜３ｃは、スリープ要求を受信すると、動作の一部を停止することによりスリープ状態に移行する。
【００４０】
これにより、基地局装置３ａ〜３ｃの消費電力が低減される。また、このとき、ＯＬＴ１は、スリープ状態に移行した基地局装置３ａ〜３ｃに接続されたＯＮＵ２ａ〜２ｃをスリープ制御するため、ＯＮＵ２ａ〜２ｃの消費電力も低減される。
【００４１】
しかし、上述したように、ＰＯＮ内には用途の異なる通信回線が混在し、また、ＰＯＮ内の帯域は複数のＯＮＵ２ａ〜２ｅにより共有されるため、無線ＮＷ制御装置５では、基地局装置３ａ〜３ｃのＰＯＮ内のトラフィック状況を把握が難しい。したがって、無線ＮＷ制御装置５からのスリープ要求は、トラフィック状況を考えると適切ではない場合があり得る。
【００４２】
そこで、ＯＬＴ１は、スリープ要求を検出し、要求先の基地局装置３ａ〜３ｃと所定の関係にある他の基地局装置３ａ〜３ｃのＰＯＮ内の不足帯域に基づきスリープ可否を判定する。ここで、要求先の基地局装置３ａ〜３ｃと他の基地局装置３ａ〜３ｃの間には、要求先の基地局装置３ａ〜３ｃが他の基地局装置３ａ〜３ｃのトラフィックを収容し得る関係が存在する。以下の例では、他の基地局装置３ａ〜３ｃとして、例えば要求先の基地局装置３ａ〜３に近い位置にある基地局装置３ａ〜３ｃを挙げるが、これに限定されない。
【００４３】
ＯＬＴ１は、スリープ処理が不可であると判定した場合、スリープ要求を廃棄して、無線ＮＷ制御装置５にスリープ不可を通知する。また、ＯＬＴ１は、スリープ処理が可能であると判定した場合、要求先の基地局装置３ａ〜３ｃにスリープ要求を転送し、その基地局装置３ａ〜３ｃに接続されたＯＮＵ２ａ〜２ｃをスリープ状態とする。これにより、適切にＯＮＵ２ａ〜２ｃ及び基地局装置３ａ〜３ｃの消費電力が低減される。以下にＯＬＴ１及びＯＮＵ２ａ〜２ｅの構成を説明する。
【００４４】
図３は、ＯＬＴ１の一例を示す構成図である。ＯＬＴ１は、光合分波器１０、電気−光変換部（Ｅ／Ｏ）１１、送信処理部１２、制御信号挿入部１３０、要求検出部１３１、ＯＮＵ制御部１３２、スリープ可否判定部１３３、帯域割り当て部１３４、ＯＮＵ管理テーブル１３５ａを保持するメモリ１３５、及び計時部１３８を有する。
【００４５】
さらに、ＯＬＴ１は、光−電気変換部（Ｏ／Ｅ）１６、受信処理部１７、帯域要求処理部１３６、通知信号挿入部１３７、多重部１４０、分離部１８０、バッファ（ＢＵＦ）１４１，１４２，１８１，１８２、受信器（Ｒｘ）１５１，１５２、及び送信器（Ｔｘ）１９１，１９２を有する。以下に、上り信号Ｓｕの処理、下り信号Ｓｄの処理、及び制御処理の順に説明する。
【００４６】
光合分波器１０は、例えばＷＤＭ（Wavelength Division Multiplex）カプラであり、波長の異なる光信号を別々のポートから入出力する。より具体的には、光合分波器１０は、光ファイバＦから入力された上り信号Ｓｕを光−電気変換部１６に出力し、電気−光変換部１１から入力された下り信号Ｓｄを光ファイバＦに出力する。このため、ＯＬＴ１及び複数のＯＮＵ２ａ〜２ｅの間で１芯の光ファイバＦによる光伝送が可能となる。
【００４７】
光−電気変換部１６は、例えばＰＤ（Photo Detector）であり、光合分波器１０から入力された上り信号Ｓｕを電気信号に変換し、受信処理部１７に出力する。
【００４８】
受信処理部１７は、上り信号Ｓｕに対し物理レイヤ及びＭＡＣ（Media Access Control）レイヤの処理を行う。受信処理部１７は、例えば、上り信号Ｓｕから、ＯＮＵ−ＩＤに基づきＯＮＵ２ａ〜２ｅごとの上りユーザフレームＦＲＭｕ＃１〜＃５及び上り制御信号ＣＴＲｕ＃１〜＃５を分離する。
【００４９】
また、受信処理部１７は、ＯＮＵ−ＩＤに基づき、上りユーザフレームＦＲＭｕ＃１〜＃５の転送先として、無線ＮＷ制御装置５及び光ＮＷ中継装置６の何れかを示す転送情報を上りユーザフレームＦＲＭｕ＃１〜＃５に付与する。受信処理部１７は、分離した上りユーザフレームＦＲＭｕ＃１〜＃５及び上り制御信号ＣＴＲｕ＃１〜＃５を帯域要求処理部１３６に出力する。
【００５０】
帯域要求処理部１３６は、受信処理部１７から入力された上り制御信号ＣＴＲｕ＃１〜＃５を処理する。より具体的には、帯域要求処理部１３６は、上り制御信号ＣＴＲｕ＃１〜＃５からＯＮＵ２ａ〜２ｅごとの帯域の要求値を取得し、帯域割り当て部１３４に出力する。帯域要求処理部１３６は、受信処理部１７から入力された上りユーザフレームＦＲＭｕ＃１〜＃５を通知信号挿入部１３７に出力する。
【００５１】
通知信号挿入部１３７は、ＯＮＵ制御部１３２から入力された通知信号を、上りユーザフレームＦＲＭｕ＃１〜＃５の間に挿入し、分離部１８０に出力する。通知信号は、後述するように、スリープ可否判定部１３３が、スリープ要求を受けた基地局装置３ａ〜３ｃのスリープ処理を不可であると判定した場合、その旨を無線ＮＷ制御装置５に通知するものである。なお、通知信号は、例えば固有パタンの識別子が付与されており、識別子により他の上りユーザフレームＦＲＭｕ＃１〜＃５と区別される。
【００５２】
分離部１８０は、上りユーザフレームＦＲＭｕ＃１〜＃５を転送情報に従い、バッファ１８１またはバッファ１８２に分けて出力する。より具体的には、分離部１８０は、上りユーザフレームＦＲＭｕ＃１〜＃３をバッファ１８１に出力し、上りユーザフレームＦＲＭｕ＃４，＃５をバッファ１８２に出力する。また、分離部１８０は、上記の通知信号を、識別子により識別してバッファ１８１に出力する。
【００５３】
バッファ１８１は、無線ＮＷ制御装置５に送信される上りユーザフレームＦＲＭｕ＃１〜＃３及び通知信号を格納し、バッファ１８２は、光ＮＷ中継装置６に送信される上りユーザフレームＦＲＭｕ＃４，＃５を格納する。
【００５４】
送信器１９１は、バッファ１８１から上りユーザフレームＦＲＭｕ＃１〜＃３及び通知信号を読み出す。送信器１９１は、上りユーザフレームＦＲＭｕ＃１〜＃３から基地局装置３ａ〜３ｃのデータ信号を取得して、通知信号とともに無線ＮＷ制御装置５に送信する。また、送信器１９２は、バッファ１８２から上りユーザフレームＦＲＭｕ＃４，＃５を読み出す。送信器１９２は、上りユーザフレームＦＲＭｕ＃４，＃５からＮＷ装置４ａ，４ｂのデータ信号を取得して光ＮＷ中継装置６に送信する。
【００５５】
また、受信器１５１は、無線ＮＷ制御装置５からデータ信号を受信する。受信器１５１は、データ信号を下りユーザフレームＦＲＭｄ＃１〜＃３に収容してバッファ１４１に出力する。バッファ１４１は、下りユーザフレームＦＲＭｄ＃１〜＃３を格納する。
【００５６】
受信器１５２は、光ＮＷ中継装置６からデータ信号を受信する。受信器１５２は、データ信号を下りユーザフレームＦＲＭｄ＃４，＃５に収容してバッファ１４２に出力する。バッファ１４２は、下りユーザフレームＦＲＭｄ＃４，＃５を格納する。
【００５７】
多重部１４０は、バッファ１４１から下りユーザフレームＦＲＭｄ＃１〜＃３を読み出し、バッファ１４２から下りユーザフレームＦＲＭｄ＃４，＃５を読み出して多重化して要求検出部１３１に出力する。なお、多重部１４０は、例えばバッファ１４１，１４２を交互に読み出すことにより、下りユーザフレームＦＲＭｄ＃１〜＃５の各帯域の公平性を担保する。
【００５８】
要求検出部１３１は、検出部の一例であり、無線ＮＷ制御装置５から基地局装置３ａ〜３ｃへのスリープ要求を検出する。より具体的には、要求検出部１３１は、例えば、スリープ要求を、その識別子に基づき下りユーザフレームＦＲＭｄ＃１〜＃３から検出する。要求検出部１３１は、検出したスリープ要求を下りユーザフレームＦＲＭｄ＃１〜＃３から取り出してスリープ可否判定部１３３に出力する。なお、スリープ要求には、要求先の基地局装置３ａ〜３ｃを示す要求先情報が含まれている。
【００５９】
制御信号挿入部１３０は、要求検出部１３１から入力された下りユーザフレームＦＲＭｄ＃１〜＃５の間に、ＯＮＵ制御部１３２から入力された下り制御信号ＣＴＲｄ＃１〜＃５、スリープ要求、及び起動要求を挿入し、送信処理部１２に出力する。なお、制御信号挿入部１３０は、スリープ要求または起動要求を挿入する場合、下りユーザフレームＦＲＭｄ＃１〜＃３にスリープ要求または起動要求を収容し、その下りユーザフレームＦＲＭｄ＃１〜＃３を挿入する。
【００６０】
送信処理部１２は、下り信号Ｓｄの物理レイヤ及びＭＡＣレイヤの処理を行う。送信処理部１２は、下りユーザフレームＦＲＭｄ＃１〜＃５及び下り制御信号ＣＴＲｄ＃１〜＃５に送信先のＯＮＵ２ａ〜２ｅのＯＮＵ−ＩＤを付与し、下り信号Ｓｄとして構成する。送信処理部１２は、構成した下り信号Ｓｄを電気−光変換部１１に出力する。
【００６１】
電気−光変換部１１は、例えばＬＤ（Laser Diode）であり、送信処理部１２から入力された下り信号Ｓｄを電気信号から光信号に変換して光合分波器１０に出力する。これにより、下り信号Ｓｄは、光ファイバＦを介しＯＮＵ２ａ〜２ｅに送信される。
【００６２】
帯域割り当て部１３４は、割り当て部の一例であり、各ＯＮＵ２ａ〜２ｅからの帯域の要求に応じてＰＯＮ内の帯域を各ＯＮＵ２ａ〜２ｅに割り当てる。より具体的には、帯域割り当て部１３４は、帯域要求処理部１３６から入力された各ＯＮＵ２ａ〜２ｅの帯域の要求値に基づき、所定のアルゴリズムに従って各ＯＮＵ２ａ〜２ｅに割り当てる帯域を算出する。なお、帯域割り当て部１３４は、上り方向の伝送速度に基づき、各ＯＮＵ２ａ〜２ｅに割り当てる帯域の合計を例えば１(Gbps)とする。
【００６３】
帯域割り当て部１３４は、各ＯＮＵ２ａ〜２ｅの帯域の要求値及び割り当てた帯域を、メモリ１３５に保持されたＯＮＵ管理テーブル１３５ａに書き込む。なお、メモリ１３５は保持部の一例である。
【００６４】
図４にはＯＮＵ管理テーブル１３５ａの一例が示されている。「割り当て帯域」は、ＯＮＵ−ＩＤごとに、そのＯＮＵ２ａ〜２ｅに割り当てられた帯域を示す。「要求帯域」は、ＯＮＵ−ＩＤごとに、そのＯＮＵ２ａ〜２ｅから要求された帯域、つまり帯域の要求値を示す。
【００６５】
また、「位置情報」は、基地局装置３ａ〜３ｃに接続されたＯＮＵ２ａ〜２ｃのみに設定された情報であり、基地局装置３ａ〜３ｃの位置を示す。このため、位置情報Ｐ１〜Ｐ３は、ＯＮＵ−ＩＤ＃１〜＃３についてのみ設定され、ＮＷ装置４ａ，４ｂに接続されたＯＮＵ２ｄ，２ｅのＯＮＵ−ＩＤ＃４，＃５についての位置情報は設定されていない（「−」（ハイフン）参照）。
【００６６】
位置情報Ｐ１〜Ｐ３としては、例えば基地局装置３ａ〜３ｃの設置場所の経度及び緯度が挙げられるが、これに限定されない。位置情報Ｐ１〜Ｐ３は、該当するＯＮＵ２ａ〜２ｅの運用開始時に予めＯＮＵ管理テーブル１３５ａに登録される。位置情報Ｐ１〜Ｐ３は、割り当て帯域及び要求帯域とともにスリープ可否判定部１３３における判定処理に用いられる。
【００６７】
スリープ可否判定部１３３は、要求検出部１３１がスリープ要求を検出したとき、スリープ要求の要求先の基地局装置３ａ〜３ｃと所定の関係にある他の基地局装置３ａ〜３ｃのＰＯＮ内の不足帯域に基づき、スリープ要求に従い要求先の基地局装置３ａ〜３ｃをスリープ状態とするスリープ処理の可否を判定する。なお、スリープ可否判定部１３３は判定部の一例である。
【００６８】
スリープ可否判定部１３３は、ＯＮＵ管理テーブル１３５ａに基づきスリープ処理の可否を判定する。より具体的には、スリープ可否判定部１３３は、ＯＮＵ管理テーブル１３５ａ内の位置情報Ｐ１〜Ｐ３に基づき、スリープ要求の要求先の基地局装置３ａ〜３ｃから所定の距離Ｄ内に他の基地局装置３ａ〜３ｃを検索する。スリープ可否判定部１３３は、該当する基地局装置３ａ〜３ｃが検索されない場合、スリープ処理が可能であると判定する。
【００６９】
スリープ可否判定部１３３は、該当する基地局装置３ａ〜３ｃが検索された場合、その基地局装置３ａ〜３ｃに接続されたＯＮＵ２ａ〜２ｃの要求帯域及び割り当て帯域を、ＯＮＵ管理テーブル１３５ａから取得して比較する。スリープ可否判定部１３３は、例えば、要求帯域が割り当て帯域以上である場合、スリープ処理を不可と判定する。すなわち、スリープ可否判定部１３３は、スリープ要求の要求先の基地局装置３ａ〜３ｃに近い他の基地局装置３ａ〜３ｃのトラフィックが混雑しているとき、スリープ処理を不可と判定する。また、スリープ可否判定部１３３は、要求帯域が割り当て帯域より少ない場合、スリープ処理を可能と判定する。
【００７０】
スリープ可否判定部１３３は、スリープ処理の可否の判定結果を、スリープ要求とともにＯＮＵ制御部１３２に出力する。ＯＮＵ制御部１３２は、その判定結果に応じてスリープ要求を処理する。なお、ＯＮＵ制御部１３２は、制御部の一例である。
【００７１】
より具体的には、ＯＮＵ制御部１３２は、スリープ可否判定部１３３がスリープ処理を不可と判定した場合、スリープ要求を廃棄して、スリープ処理を中止した旨の通知信号を通知信号挿入部１３７に出力する。このため、無線ＮＷ制御装置５に通知信号が送信される。
【００７２】
これにより、要求先の基地局装置３ａ〜３ｃは、スリープ状態とならないため、近くの他の基地局装置３ａ〜３ｃのトラフィックを吸収することができる。つまり、要求先の基地局装置３ａ〜３ｃは、他の基地局装置３ａ〜３ｃと無線リンクした移動端末Ｔと無線リンクを確立することで、他の基地局装置３ａ〜３ｃのトラフィックを吸収することができる。
【００７３】
例えば、要求検出部１３１がＯＮＵ（＃１）２ａへのスリープ要求を検出した場合、スリープ可否判定部１３３は、ＯＮＵ管理テーブル１３５ａを参照し、要求先のＯＮＵ（＃１）２ａに接続された基地局装置３ａの位置情報Ｐ１を、他のＯＮＵ（＃２，＃３）２ｂ，２ｃの基地局装置３ｂ，３ｃの位置情報Ｐ２，Ｐ３を比較する。スリープ可否判定部１３３は、比較の結果、例えばＯＮＵ（＃２）２ｂがＯＮＵ（＃１）２ａの所定の距離Ｄ内にある場合、ＯＮＵ（＃２）２ｂの要求帯域と割り当て帯域を比較する。
【００７４】
スリープ可否判定部１３３は、要求帯域≧割り当て帯域の場合、スリープ処理を不可であると判定し、要求帯域＜割り当て帯域の場合、スリープ処理を可能であると判定する。図４の例では、要求帯域≧割り当て帯域であるため、ＯＮＵ（＃１）２ａの基地局装置３ａは、スリープ状態とならず、近くの（距離Ｄ内の）他の基地局装置３ｂの混雑したトラフィックを吸収できる。
【００７５】
一方、例えばＯＮＵ（＃３）２ｃの基地局装置３ｃが所定の距離Ｄ内である場合、要求帯域＜割り当て帯域であるため、ＯＮＵ（＃１）２ａの基地局装置３ａはスリープ状態となる。すなわち、基地局装置３ｃのトラフィックは混雑していないため、ＯＮＵ（＃１）２ａの基地局装置３ａは、基地局装置３ｃのトラフィックを吸収する必要がなく、スリープ状態とすることができる。これにより、基地局装置３ａの消費電力が低減される。また、この場合、ＯＮＵ（＃３）２ｃもスリープ状態とされるため、さらに消費電力が低減される。
【００７６】
また、ＯＮＵ制御部１３２は、スリープ可否判定部１３３がスリープ処理を可能と判定した場合、スリープ要求を要求先の基地局装置３ａ〜３ｃへ転送する。より具体的には、ＯＮＵ制御部１３２は、スリープ要求を制御信号挿入部１３０に出力する。なお、制御信号挿入部１３０は、スリープ要求を、該当するＯＮＵ２ａ〜２ｃへの下りユーザフレームＦＲＭｄに収容する。
【００７７】
さらに、ＯＮＵ制御部１３２は、スリープ要求を転送した場合、所定時間の待機処理を行った後、スリープ要求の要求先の基地局装置３ａ〜３ｃに接続されたＯＮＵ２ａ〜２ｃをスリープ状態とする。より具体的には、ＯＮＵ制御部１３２は、そのＯＮＵ２ａ〜２ｃへのスリープ指示を含む下り制御信号ＣＴＲｄを生成して制御信号挿入部１３０に出力する。
【００７８】
このように、スリープ可否判定部１３３は、スリープ要求された基地局装置３ａ〜３ｃの所定の距離Ｄ内に位置する他の基地局装置３ａ〜３ｃのＰＯＮ内の不足帯域に基づき、スリープ要求された基地局装置３ａ〜３ｃのスリープ処理の可否を判定する。このため、ＯＬＴ１は、基地局装置３ａ〜３ｃの間の距離に基づき適切にスリープ処理を行うことができる。
【００７９】
また、ＯＮＵ制御部１３２は、ＯＮＵ管理テーブル１３５ａに書き込まれた割り当て帯域に基づき、ＯＮＵ２ａ〜２ｃの上り信号Ｓｕの送信期間を決定し、送信期間の指示を含む下り制御信号ＣＴＲｄを生成して制御信号挿入部１３０に出力する。これにより、ＯＮＵ２ａ〜２ｃの上り帯域が制御される。
【００８０】
計時部１３８は、時刻を計時して帯域割り当て部１３４に通知する。帯域割り当て部１３４は、後述するように、時刻に応じてＯＮＵ２ａ〜２ｃ間で帯域割り当ての優先度を変化させてもよい。
【００８１】
また、要求検出部１３１は、無線ＮＷ制御装置５から基地局装置３ａ〜３ｃに対する起動要求を検出してＯＮＵ制御部１３２に出力する。ＯＮＵ制御部１３２は、起動要求が入力されたとき、起動要求の要求先の基地局装置３ａ〜３ｃに接続されたＯＮＵ２ａ〜２ｃを起動状態とする。より具体的には、ＯＮＵ制御部１３２は、そのＯＮＵ２ａ〜２ｃへの起動指示を含む下り制御信号ＣＴＲｄを生成して制御信号挿入部１３０に出力する。
【００８２】
ＯＮＵ制御部１３２は、起動指示を含む下り制御信号ＣＴＲｄを出力した場合、所定時間の待機処理を行った後、起動要求を要求先の基地局装置３ａ〜３ｃへ転送する。より具体的には、ＯＮＵ制御部１３２は、起動要求を制御信号挿入部１３０に出力する。なお、制御信号挿入部１３０は、起動要求を、該当するＯＮＵ２ａ〜２ｃへの下りユーザフレームＦＲＭｄに収容する。
【００８３】
図５は、ＯＮＵ２ａ〜２ｅの一例を示す構成図である。ＯＮＵ２ａ〜２ｅは、光合分波器２０と、電気−光変換部２１と、送信処理部２２と、帯域要求部２３０と、送信期間制御部２３１と、スリープ制御部２３２と、バッファ２４，２８と、受信器２５とを有する。ＯＮＵ２ａ〜２ｅは、さらに光−電気変換部２６と、受信処理部２７と、期間指示検出部２３３と、スリープ指示検出部２３４と、送信器２９とを有する。以下に、下り信号Ｓｄの処理、上り信号Ｓｕの処理、及び制御処理の順に説明する。
【００８４】
光合分波器２０は、例えばＷＤＭカプラであり、波長の異なる光信号を別々のポートから入出力する。より具体的には、光合分波器２０は、光ファイバＦから入力された上り信号Ｓｕを光−電気変換部２６に出力し、電気−光変換部２１から入力された下り信号Ｓｄを光ファイバＦに出力する。
【００８５】
光−電気変換部２６は、例えばＰＤであり、光合分波器２０から入力された下り信号Ｓｄを電気信号に変換し、受信処理部２７に出力する。
【００８６】
受信処理部２７は、下り信号Ｓｄに対し物理レイヤ及びＭＡＣレイヤの処理を行う。受信処理部２７は、例えば、下り信号Ｓｄから、ＯＮＵ−ＩＤに基づき自装置の下りユーザフレームＦＲＭｄ及び下り制御信号ＣＴＲｄを分離する。例えば、ＯＮＵ−ＩＤが「１」のＯＮＵ（＃１）２ａの場合、受信処理部２７は、下り信号Ｓｄからの下りユーザフレームＦＲＭｄ＃１及び下り制御信号ＣＴＲｄ＃１を分離する。受信処理部２７は、分離した下りユーザフレームＦＲＭｄ及び下り制御信号ＣＴＲｄを期間指示検出部２３３に出力する。
【００８７】
期間指示検出部２３３は、下り制御信号ＣＴＲｄから上り信号Ｓｕの送信期間の指示を取得して、送信期間制御部２３１に出力する。期間指示検出部２３３は、他の下りユーザフレームＦＲＭｄ及び下り制御信号ＣＴＲｄをスリープ指示検出部２３４に出力する。
【００８８】
スリープ指示検出部２３４は、下り制御信号ＣＴＲｄから自装置に対するスリープ指示を取得して、スリープ制御部２３２に出力する。また、スリープ指示検出部２３４は、下り制御信号ＣＴＲｄから自装置に対する起動指示を取得して、スリープ制御部２３２に出力する。
【００８９】
スリープ指示検出部２３４は、他の下りユーザフレームＦＲＭｄをバッファ２８に出力する。バッファ２８は、基地局装置３ａ〜３ｃまたはＮＷ装置４ａ，４ｂに送信される下りユーザフレームＦＲＭｄを格納する。
【００９０】
送信器２９は、バッファ２８から下りユーザフレームＦＲＭｄを読み出す。送信器２９は、下りユーザフレームＦＲＭｄからデータ信号を取得して、基地局装置３ａ〜３ｃまたはＮＷ装置４ａ，４ｂに送信する。
【００９１】
また、受信器２５は、基地局装置３ａ〜３ｃまたはＮＷ装置４ａ，４ｂからデータ信号を受信する。受信器２５は、データ信号を上りユーザフレームＦＲＭｕに収容してバッファ１４１に出力する。例えばＯＮＵ（＃１）２ａの場合、受信器２５は、データ信号を上りユーザフレームＦＲＭｕ＃１に収容する。バッファ２４は、上りユーザフレームＦＲＭｕを格納する。
【００９２】
帯域要求部２３０は、バッファ２４内の上りユーザフレームＦＲＭｕのデータ量を検出し、データ量に応じて帯域の要求値を決定する。帯域要求部２３０は、決定した帯域の要求値を含む上り制御信号ＣＴＲｕを生成して送信処理部２２に出力する。また、帯域要求部２３０は、他の上りユーザフレームＦＲＭｕをバッファ２４から読み出して送信処理部２２に出力する。
【００９３】
送信処理部２２は、上り信号Ｓｕの物理レイヤ及びＭＡＣレイヤの処理を行う。送信処理部２２は、上りユーザフレームＦＲＭｕ及び上り制御信号ＣＴＲｕに自装置のＯＮＵ−ＩＤを付与し、上り信号Ｓｕとして構成する。送信処理部２２は、送信期間制御部２３１により制御された送信期間において、上り信号Ｓｕを電気−光変換部２１に出力する。
【００９４】
電気−光変換部２１は、例えばＬＤであり、送信処理部２２から入力された上り信号Ｓｕを電気信号から光信号に変換して光合分波器２０に出力する。これにより、上り信号Ｓｕは、光ファイバＦを介しＯＬＴ１に送信される。
【００９５】
スリープ制御部２３２は、スリープ指示検出部２３４からスリープ指示が入力されたとき、電気−光変換部２１、送信処理部２２、帯域要求部２３０、バッファ２４、及び受信器２５（点線の枠内参照）の電力供給を停止する。これにより、ＯＮＵ２ａ〜２ｅは、上り信号Ｓｕの送信を一時的に停止するため、消費電力が低減される。
【００９６】
また、スリープ制御部２３２は、スリープ指示検出部２３４から起動指示が入力されたとき、電気−光変換部２１、送信処理部２２、帯域要求部２３０、バッファ２４、及び受信器２５の電力供給を再開する。これにより、ＯＮＵ２ａ〜２ｅは、上り信号Ｓｕの送信を再開できる。
【００９７】
図６は、ＯＬＴ１のスリープ要求の処理の一例を示すフローチャートである。要求検出部１３１は、スリープ要求が検出されたか否かを判定する（ステップＳｔ１）。要求検出部１３１は、スリープ要求が検出されていない場合（ステップＳｔ１のＮｏ）、処理を終了する。
【００９８】
スリープ可否判定部１３３は、スリープ要求が検出された場合（ステップＳｔ１のＹｅｓ）、ＯＮＵ管理テーブル１３５ａから基地局装置３ａ〜３ｃの位置情報Ｐ１〜Ｐ３を取得する（ステップＳｔ２）。次に、スリープ可否判定部１３３は、位置情報Ｐ１〜Ｐ３に基づき、要求先の基地局装置３ａ〜３ｃから所定の距離Ｄ内に位置する他の基地局装置３ａ〜３ｃの有無を判定する（ステップＳｔ３）。すなわち、スリープ可否判定部１３３は、位置情報Ｐ１〜Ｐ３に基づき、要求先の基地局装置３ａ〜３ｃから所定の距離Ｄ内に位置する他の基地局装置３ａ〜３ｃを検索する。
【００９９】
スリープ可否判定部１３３は、該当する基地局装置３ａ〜３ｃが検索されない場合（ステップＳｔ３のＮｏ）、スリープ処理を可能であると判定し、ＯＮＵ制御部１３２は、スリープ要求を要求先の基地局装置３ａ〜３ｃに転送する（ステップＳｔ８）。この場合、スリープ要求は、上述したように、要求先の基地局装置３ａ〜３ｃに接続されたＯＮＵ２ａ〜２ｃを宛先とする下りユーザフレームＦＲＭｄに収容される。
【０１００】
次に、ＯＮＵ制御部１３２は、所定時間の待機処理を行う（ステップＳｔ９）。待機処理の時間は、例えば、スリープ要求された基地局装置３ａ〜３ｃがスリープ状態に移行するのに要する時間としてもよい。
【０１０１】
次に、ＯＮＵ制御部１３２は、スリープ要求された基地局装置３ａ〜３ｃに接続されたＯＮＵ２ａ〜２ｃをスリープ状態とする（ステップＳｔ１０）。このとき、ＯＮＵ制御部１３２は、上述したようにスリープ指示を含む下り制御信号ＣＴＲｄを出力する。
【０１０２】
また、スリープ可否判定部１３３は、該当する基地局装置３ａ〜３ｃが検索された場合（ステップＳｔ３のＹｅｓ）、ＯＮＵ管理テーブル１３５ａから当該ＯＮＵ２ａ〜２ｃの割り当て帯域Ｂａ及び要求帯域（帯域の要求値）Ｂｒを取得する（ステップＳｔ４）。次に、スリープ可否判定部１３３は、割り当て帯域Ｂａ及び要求帯域Ｂｒを比較する（ステップＳｔ５）。
【０１０３】
スリープ可否判定部１３３は、Ｂｒ＜Ｂａである場合（ステップＳｔ５のＮｏ）、スリープ処理を可能であると判定し、上記のステップＳｔ８〜Ｓｔ１０の処理が実行される。
【０１０４】
また、スリープ可否判定部１３３は、Ｂｒ≧Ｂａである場合（ステップＳｔ５のＹｅｓ）、スリープ処理を不可と判定し、ＯＮＵ制御部１３２は、スリープ要求を廃棄する（ステップＳｔ６）。
【０１０５】
このように、スリープ可否判定部１３３は、スリープ要求の要求先の基地局装置３ａ〜３ｃと所定の関係にある他の基地局装置３ａ〜３ｃに接続されたＯＮＵ２ａ〜２ｃからの要求帯域Ｂｒが、そのＯＮＵ２ａ〜２ｃの割り当て帯域Ｂａ以上である場合、スリープ処理を不可と判定する。このため、スリープ可否判定部１３３は、帯域制御に応じて高精度にスリープ処理の可否を判定できる。なお、スリープ可否判定部１３３は、これに限定されず、例えば各ＯＮＵ２ａ〜２ｃから上りユーザフレームＦＲＭｕの廃棄量を収集して、廃棄量に基づきスリープ処理の可否を判定してもよい。
【０１０６】
次に、ＯＮＵ制御部１３２は、スリープ処理の中止を通知する通知信号を出力する（ステップＳｔ７）。これにより、無線ＮＷ制御装置５にスリープ処理の中止が通知される。このようにして、ＯＬＴ１のスリープ要求の処理は実行される。
【０１０７】
図７は、通信システムの動作の一例を示すシーケンス図である。図７には、スリープ可否判定部１３３がスリープ要求を可能であると判定した場合のスリープ処理及び起動処理が示されている。
【０１０８】
大型基地局装置７は、基地局装置３ａ〜３ｃごとのユーザの移動端末Ｔの分布を示すユーザ分布情報を、無線ＮＷ制御装置５に送信する。
【０１０９】
無線ＮＷ制御装置５は、ユーザ分布情報に基づき、例えば無線リンクした移動端末Ｔの数が所定値以下の基地局装置３ａ〜３ｃを検出し、その基地局装置３ａ〜３ｃに対するスリープ要求をＯＬＴ１に送信する。本例では、一例として、スリープ要求の要求先の基地局装置３ａ〜３ｃをスモールセルエリアＳＡ＃１の基地局装置３ａとする。
【０１１０】
無線ＮＷ制御装置５は、ＰＯＮ内のトラフィック状況とは無関係にスリープ要求を発行するため、スリープ要求が適切ではない場合がある。このため、ＯＬＴ１は、上述したように、ＰＯＮ内のトラフィック状況に基づいて、スリープ要求の適否をスリープ可否判定部１３３により判定する。
【０１１１】
ＯＬＴ１は、スリープ要求を検出すると、スリープ可否判定部１３３によりスリープ処理の可否を判定する。ＯＬＴ１は、スリープ可否判定部１３３がスリープ処理を可能であると判定した場合（符号Ｓ１参照）、ＯＮＵ（＃１）２ａにスリープ要求を転送する。ＯＮＵ（＃１）２ａは、ＯＬＴ１から転送されたスリープ要求を、基地局装置３ａに送信する。
【０１１２】
基地局装置３ａは、スリープ要求を受信すると、スリープ要求に従いスリープ状態に移行する（符号Ｓ２参照）。これにより、基地局装置３ａの消費電力が低減される。
【０１１３】
また、ＯＬＴ１は、スリープ要求の転送後、所定時間の待機処理を行う（符号Ｓ３参照）。基地局装置３ａは、ＯＬＴ１が待機処理を行っている間にスリープ状態に移行する。ＯＬＴ１は、待機処理の後、スリープ指示をＯＮＵ（＃１）２ａに送信する。ＯＮＵ（＃１）２ａは、スリープ指示を受信すると、スリープ指示に従うスリープ状態に移行する（符号Ｓ４）。このとき、ＯＮＵ（＃１）２ａのスリープ制御部２３２は、電気−光変換部２１、送信処理部２２、帯域要求部２３０、バッファ２４、及び受信器２５の電力供給を停止する。このようして、スリープ処理は実行される。
【０１１４】
また、無線ＮＷ制御装置５は、例えば、ユーザ分布情報に基づいて、基地局装置３ａに無線リンクした移動端末Ｔの数が所定値以上であることを検出した場合、基地局装置３ａに対する起動要求をＯＬＴ１に送信する。
【０１１５】
ＯＬＴ１は、起動要求を検出すると、ＯＮＵ（＃１）２ａに起動指示を送信して、所定時間の待機処理を行う（符号Ｓ５参照）。ＯＮＵ（＃１）２ａは、ＯＬＴ１の待機処理の間に、起動指示に従って起動する（符号Ｓ６参照）。ＯＬＴ１は、待機処理の後、起動要求をＯＮＵ（＃１）２ａに送信する。ＯＮＵ（＃１）２ａは、起動要求を基地局装置３ａに送信する。
【０１１６】
ＯＮＵ（＃１）２ａは、起動要求を受信すると、起動要求に従い起動する（符号Ｓ６参照）。このとき、ＯＮＵ（＃１）２ａのスリープ制御部２３２は、電気−光変換部２１、送信処理部２２、帯域要求部２３０、バッファ２４、及び受信器２５の電力供給を再開する。このようにして、起動処理は実行される。
【０１１７】
図８は、通信システムの動作の他例を示すシーケンス図である。図８には、スリープ可否判定部１３３がスリープ処理を不可であると判定した場合の処理が示されている。
【０１１８】
ＯＬＴ１は、無線ＮＷ制御装置５から基地局装置３ａへのスリープ要求を検出すると、スリープ可否判定部１３３によりスリープ処理の可否を判定する（符号Ｓ１１参照）。次に、ＯＬＴ１は、スリープ要求を廃棄する（符号Ｓ１２参照）。このため、基地局装置３ａは、スリープ要求を受信しないので、スリープ状態に移行しない。
【０１１９】
次に、ＯＬＴ１は、スリープ処理を中止した旨の通知信号を無線ＮＷ制御装置５に送信する。このようにして通信システムは動作する。
【０１２０】
上記の実施例において、ＯＬＴ１の帯域割り当て部１３４は、計時部１３８の時刻に応じて、基地局装置３ａ〜３ｃに接続されたＯＮＵ２ａ〜２ｃ及びＮＷ装置４ａ，４ｂに接続されたＯＮＵ２ｄ，２ｅの一方に対して他方より優先的に帯域を割り当ててもよい。
【０１２１】
図９には、時刻に応じた割り当て帯域の変化の一例が示されている。帯域割り当て部１３４は、一例として、計時部１３８が示す時刻がオフィスビル＃１，＃２の就業時間（例えば９時〜１２時、１３時〜１７時）である場合、ＯＮＵ２ｄ，２ｅに対しＯＮＵ２ａ〜２ｃより優先的に帯域を割り当てる。このため、オフィスビル＃１，＃２のユーザは、就業時間中、ＮＷ装置４ａ，４ｂから例えばインターネットに快適にアクセスできる。
【０１２２】
また、帯域割り当て部１３４は、計時部１３８が示す時刻がオフィスビル＃１，＃２の就業時間外（例えば１２時〜１３時、１７時〜０時、０時〜９時）である場合、ＯＮＵ２ａ〜２ｃに対しＯＮＵ２ｄ，２ｅより優先的に帯域を割り当てる。このため、スモールセルエリアＳＡ＃１〜ＳＡ＃３内のユーザは、就業時間外において、移動端末Ｔにより快適に通信できる。
【０１２３】
この場合、時刻に応じてＯＮＵ２ａ〜２ｅの割り当て帯域Ｂａが変化するため、スリープ可否判定部１３３は、スリープ処理の可否を時刻に応じて適切に判定できる。
【０１２４】
また、上記の実施例において、スリープ可否判定部１３３は、基地局装置３ａ〜３ｃの位置情報Ｐ１〜Ｐ３に基づいて、スリープ要求の要求先の基地局装置３ａ〜３ｃから所定の距離Ｄ内に位置する基地局装置３ａ〜３ｃを検索したが、これに限定されない。スリープ可否判定部１３３は、例えば、基地局装置３ａ〜３ｃが属するグループを示すグループ情報に基づき、スリープ要求の要求先の基地局装置３ａ〜３ｃと同じグループに属する他の基地局装置３ａ〜３ｃを検索してもよい。この場合、ＯＮＵ管理テーブル１３５ａには、位置情報Ｐ１〜Ｐ３に代えて、グループ情報が登録される。
【０１２５】
図１０には、ＯＮＵ管理テーブル１３５ａの他例が示されている。グループ情報は、ＯＮＵ−ＩＤごとに、該当するＯＮＵ２ａ〜２ｃに接続された基地局装置３ａ〜３ｃが属するグループを示す。
【０１２６】
グループ情報は、該当するＯＮＵ２ａ〜２ｅの運用開始時に予めＯＮＵ管理テーブル１３５ａに登録される。基地局装置３ａ〜３ｃの属するグループは、例えば、基地局装置３ａ〜３ｃの周辺のマップなどに基づき決定される。一例として、基地局装置３ａ，３ｂが同じ道路沿いに設定されている場合、基地局装置３ａ，３ｂのグループは同じグループ「Ｘ」に決定される。グループ情報の設定は、同一グループに属する基地局装置３ａ，３ｂが、移動端末Ｔの移動により互いのトラフィックを収容する可能性がある関係であれば、何の基準に基づいて決定されてもよい。
【０１２７】
本例において、基地局装置３ａ，３ｂは同一のグループ「Ｘ」に属し、基地局装置３ｃは他のグループ「Ｙ」に属する。このため、スリープ可否判定部１３３は、基地局装置３ａへのスリープ要求が検出されたとき、グループ情報に基づき、要求先の基地局装置３ａと同じグループ「Ｘ」に属する他の基地局装置３ｂを検索する。スリープ可否判定部１３３は、検索した基地局装置３ｂのＰＯＮ内の不足帯域に基づき、スリープ処理の可否を判定する。
【０１２８】
より具体的には、スリープ可否判定部１３３は、検索した基地局装置３ｂの要求帯域Ｂｒ及び割り当て帯域Ｂａを、ＯＮＵ管理テーブル１３５ａから取得して比較する。スリープ可否判定部１３３は、例えば、要求帯域Ｂｒが割り当て帯域Ｂａ以上である場合、スリープ処理を不可と判定する。すなわち、スリープ可否判定部１３３は、スリープ要求の要求先の基地局装置３ａのトラフィックを収容し得る他の基地局装置３ｂのトラフィックが混雑しているとき、スリープ処理を不可と判定する。また、スリープ可否判定部１３３は、要求帯域Ｂｒが割り当て帯域Ｂａより少ない場合、スリープ処理を可能と判定する。
【０１２９】
図１０の例の場合、スリープ可否判定部１３３は、基地局装置３ｂに接続されたＯＮＵ２ｂについて、Ｂｒ≧Ｂａであるため、スリープ処理を不可と判定する。これにより、要求先の基地局装置３ａは、スリープ状態とならないため、例えば同一の道路に沿って設けられた他の基地局装置３ｂのトラフィックを吸収することができる。
【０１３０】
図１１は、本例のＯＬＴ１の動作を示すフローチャートである。図１１において、図６と共通する処理については同一の符号を付し、その説明を省略する。
【０１３１】
スリープ可否判定部１３３は、スリープ要求が検出された場合（ステップＳｔ１のＹｅｓ）、ＯＮＵ管理テーブル１３５ａから基地局装置３ａ〜３ｃのグループ情報を取得する（ステップＳｔ２ａ）。次に、スリープ可否判定部１３３は、グループ情報に基づき、要求先の基地局装置３ａ〜３ｃと同一のグループに属する他の基地局装置３ａ〜３ｃの有無を判定する（ステップＳｔ３ａ）。
【０１３２】
該当する基地局装置３ａ〜３ｃが検索されない場合（ステップＳｔ３ａのＮｏ）、ステップＳｔ８〜Ｓｔ１０の処理が実行される。また、該当する基地局装置３ａ〜３ｃが検索された場合（ステップＳｔ３ａのＹｅｓ）、ステップＳｔ４以降の処理が実行される。このようにして、ＯＬＴ１は動作する。
【０１３３】
これまで述べたように、実施例のＯＬＴ１は、基地局装置３ａ〜３ｃに接続された複数のＯＮＵ２ａ〜２ｅとＰＯＮで接続され、ＰＯＮを介し基地局装置３ａ〜３ｃと通信する無線ＮＷ制御装置５に接続されている。ＯＬＴ１は、要求検出部１３１と、スリープ可否判定部１３３と、ＯＮＵ制御部１３２とを有する。
【０１３４】
要求検出部１３１は、無線ＮＷ制御装置５から基地局装置３ａ〜３ｃへのスリープ要求を検出する。スリープ可否判定部１３３は、要求検出部１３１がスリープ要求を検出したとき、スリープ要求の要求先の基地局装置３ａ〜３ｃと所定の関係にある他の基地局装置３ａ〜３ｃのＰＯＮ内の不足帯域に基づき、スリープ要求に従い要求先の基地局装置３ａ〜３ｃをスリープ状態とするスリープ処理の可否を判定する。
【０１３５】
ＯＮＵ制御部１３２は、スリープ可否判定部１３３がスリープ処理を不可と判定した場合、スリープ要求を廃棄し、スリープ可否判定部１３３がスリープ処理を可能と判定した場合、スリープ要求を要求先の基地局装置３ａ〜３ｃへ転送する。
【０１３６】
上記の構成によると、スリープ可否判定部１３３は、スリープ要求の要求先の基地局装置３ａ〜３ｃと所定の関係にある他の基地局装置３ａ〜３ｃのＰＯＮ内の不足帯域に基づき、スリープ処理の可否を判定する。したがって、スリープ処理の可否が、要求先の基地局装置３ａ〜３ｃがトラフィックを収容し得る他の基地局装置３ａ〜３ｃのＰＯＮ内の不足帯域に基づき判定される。
【０１３７】
ＯＮＵ制御部１３２は、スリープ可否判定部１３３がスリープ処理を不可と判定した場合、スリープ要求を廃棄する。この場合、スリープ要求の要求先の基地局装置３ａ〜３ｃは、スリープ状態に移行しないため、自装置と所定の関係にある他の基地局装置３ａ〜３ｃのトラフィックを収容することができる。
【０１３８】
また、ＯＮＵ制御部１３２は、スリープ可否判定部１３３がスリープ処理を可能と判定した場合、スリープ要求を要求先の基地局装置３ａ〜３ｃへ転送する。この場合、スリープ要求の要求先の基地局装置３ａ〜３ｃは、スリープ状態に移行するため、消費電力が低減される。
【０１３９】
したがって、実施例のＯＬＴ１は、適切に消費電力を低減することができる。
【０１４０】
また、実施例の通信システムは、ＰＯＮで接続されたＯＬＴ１及び複数のＯＮＵ２ａ〜２ｅを有する。ＯＮＵ２ａ〜２ｅの一部は、基地局装置３ａ〜３ｃに接続されており、ＯＬＴ１は、ＰＯＮを介し基地局装置３ａ〜３ｃと通信する無線ＮＷ制御装置５に接続されている。
【０１４１】
ＯＬＴ１は、要求検出部１３１と、スリープ可否判定部１３３と、ＯＮＵ制御部１３２とを有する。
【０１４２】
要求検出部１３１は、無線ＮＷ制御装置５から基地局装置３ａ〜３ｃへのスリープ要求を検出する。スリープ可否判定部１３３は、要求検出部１３１がスリープ要求を検出したとき、スリープ要求の要求先の基地局装置３ａ〜３ｃと所定の関係にある他の基地局装置３ａ〜３ｃのＰＯＮ内の不足帯域に基づき、スリープ要求に従い要求先の基地局装置３ａ〜３ｃをスリープ状態とするスリープ処理の可否を判定する。
【０１４３】
ＯＮＵ制御部１３２は、スリープ可否判定部１３３がスリープ処理を不可と判定した場合、スリープ要求を廃棄し、スリープ可否判定部１３３がスリープ処理を可能と判定した場合、スリープ要求を要求先の基地局装置３ａ〜３ｃへ転送する。
【０１４４】
実施例の通信システムは、上記のＯＬＴ１と同様の構成を含むので、上述した内容と同様の作用効果を奏する。
【０１４５】
また、実施例の通信制御方法は、基地局装置３ａ〜３ｃに接続された複数のＯＮＵ２ａ〜２ｅとＰＯＮで接続され、ＰＯＮを介し基地局装置３ａ〜３ｃと通信する無線ＮＷ制御装置５に接続されたＯＬＴ１の通信制御方法であり、以下のステップを含む。
ステップ（１）：無線ＮＷ制御装置５から基地局装置３ａ〜３ｃへのスリープ要求を検出する。
ステップ（２）：スリープ要求の要求先の基地局装置３ａ〜３ｃと所定の関係にある他の基地局装置３ａ〜３ｃのＰＯＮ内の不足帯域に基づき、スリープ要求に従い要求先の基地局装置３ａ〜３ｃをスリープ状態とするスリープ処理の可否を判定する。
ステップ（３）：スリープ処理を不可と判定した場合、スリープ要求を廃棄し、スリープ処理を可能と判定した場合、スリープ要求を要求先の基地局装置３ａ〜３ｃへ転送する。
【０１４６】
実施例の通信制御方法は、上記のＯＬＴ１と同様の構成を含むので、上述した内容と同様の作用効果を奏する。
【０１４７】
上述した実施形態は本発明の好適な実施の例である。但し、これに限定されるものではなく、本発明の要旨を逸脱しない範囲内において種々変形実施可能である。
【０１４８】
なお、以上の説明に関して更に以下の付記を開示する。
（付記１）  基地局装置に接続された複数の光終端装置とＰＯＮで接続され、前記ＰＯＮを介し前記基地局装置と通信する制御装置に接続された光端局装置において、
前記制御装置から前記基地局装置へのスリープ要求を検出する検出部と、
前記検出部が前記スリープ要求を検出したとき、前記スリープ要求の要求先の前記基地局装置と所定に関係にある他の前記基地局装置の前記ＰＯＮ内の不足帯域に基づき、前記スリープ要求に従い要求先の前記基地局装置をスリープ状態とする処理の可否を判定する判定部と、
前記判定部が前記処理を不可と判定した場合、前記スリープ要求を廃棄し、前記判定部が前記処理を可能と判定した場合、前記スリープ要求を要求先の前記基地局装置へ転送する制御部とを有することを特徴とする光端局装置。
（付記２）  前記制御部は、前記判定部が前記処理を可能と判定した場合、前記複数の光終端装置のうち、要求先の前記基地局装置に接続された光終端装置をスリープ状態とすることを特徴とする付記１に記載の光端局装置。
（付記３）  前記複数の光終端装置の各々からの帯域の要求に応じて前記ＰＯＮ内の帯域を前記複数の光終端装置の各々に割り当てる割り当て部を、さらに有し、
前記判定部は、前記複数の光終端装置のうち、前記スリープ要求の要求先の前記基地局装置と所定の関係にある他の前記基地局装置に接続された光終端装置から要求された帯域が、前記割り当て部により該光終端装置に割り当てられた帯域以上である場合、前記処理を不可と判定することを特徴とする付記１または２に記載の光端局装置。
（付記４）  前記複数の光終端装置のうち、一部の光終端装置は前記基地局装置に接続され、他の光終端装置は前記基地局装置以外の他装置に接続され、
時刻を計時する計時部を、さらに有し、
前記割り当て部は、前記時刻に応じて、前記一部の光終端装置及び前記他の光終端装置の一方に対して他方より優先的に帯域を割り当てることを特徴とする付記３に記載の光端局装置。
（付記５）  前記基地局装置の位置を示す位置情報を保持する保持部を、さらに有し、
前記判定部は、前記検出部が前記スリープ要求を検出したとき、前記位置情報に基づき、前記スリープ要求の要求先の前記基地局装置から所定の距離内に位置する他の前記基地局装置を検索し、検索された前記基地局装置の前記ＰＯＮ内の不足帯域に基づき、前記処理の可否を判定することを特徴とする付記１乃至４の何れかに記載の光端局装置。
（付記６）  前記基地局装置が属するグループを示すグループ情報を保持する保持部を、さらに有し、
前記判定部は、前記検出部が前記スリープ要求を検出したとき、前記グループ情報に基づき、前記スリープ要求の要求先の前記基地局装置と同じグループに属する他の前記基地局装置を検索し、検索された前記基地局装置の前記ＰＯＮ内の不足帯域に基づき、前記処理の可否を判定することを特徴とする付記１乃至４の何れかに記載の光端局装置。
（付記７）  ＰＯＮで接続された光端局装置及び複数の光終端装置を有する通信システムにおいて、
前記複数の光終端装置の一部は、基地局装置に接続されており、
前記光端局装置は、前記ＰＯＮを介し前記基地局装置と通信する制御装置に接続されており、
前記光端局装置は、
前記制御装置から前記基地局装置へのスリープ要求を検出する検出部と、
前記検出部が前記スリープ要求を検出したとき、前記スリープ要求の要求先の前記基地局装置と所定の関係にある他の前記基地局装置の前記ＰＯＮ内の不足帯域に基づき、前記スリープ要求に従い要求先の前記基地局装置をスリープ状態とする処理の可否を判定する判定部と、
前記判定部が前記処理を不可と判定した場合、前記スリープ要求を廃棄し、前記判定部が前記処理を可能と判定した場合、前記スリープ要求を要求先の前記基地局装置へ転送し、前記複数の光終端装置のうち、要求先の前記基地局装置に接続された光終端装置をスリープ状態とする制御部とを有することを特徴とする通信システム。
（付記８）  前記制御部は、前記判定部が前記処理を可能と判定した場合、前記複数の光終端装置のうち、要求先の前記基地局装置に接続された光終端装置をスリープ状態とすることを特徴とする付記７に記載の通信システム。
（付記９）  前記光端局装置は、前記複数の光終端装置の各々からの帯域の要求に応じて前記ＰＯＮ内の帯域を前記複数の光終端装置の各々に割り当てる割り当て部を、さらに有し、
前記判定部は、前記複数の光終端装置のうち、前記スリープ要求の要求先の前記基地局装置と所定の関係にある他の前記基地局装置に接続された光終端装置から要求された帯域が、前記割り当て部により該光終端装置に割り当てられた帯域以上である場合、前記処理を不可と判定することを特徴とする付記７または８に記載の通信システム。
（付記１０）  前記複数の光終端装置のうち、一部の光終端装置は前記基地局装置に接続され、他の光終端装置は前記基地局装置以外の他装置に接続され、
前記光端局装置は、時刻を計時する計時部を、さらに有し、
前記割り当て部は、前記時刻に応じて、前記一部の光終端装置及び前記他の光終端装置の一方に対して他方より優先的に帯域を割り当てることを特徴とする付記９に記載の通信システム。
（付記１１）  前記光端局装置は、前記基地局装置の位置を示す位置情報を保持する保持部を、さらに有し、
前記判定部は、前記検出部が前記スリープ要求を検出したとき、前記位置情報に基づき、前記スリープ要求の要求先の前記基地局装置から所定の距離内に位置する他の前記基地局装置を検索し、検索された前記基地局装置の前記ＰＯＮ内の不足帯域に基づき、前記処理の可否を判定することを特徴とする付記７乃至１０の何れかに記載の通信システム。
（付記１２）  前記光端局装置は、前記基地局装置が属するグループを示すグループ情報を保持する保持部を、さらに有し、
前記判定部は、前記検出部が前記スリープ要求を検出したとき、前記グループ情報に基づき、前記スリープ要求の要求先の前記基地局装置と同じグループに属する他の前記基地局装置を検索し、検索された前記基地局装置の前記ＰＯＮ内の不足帯域に基づき、前記処理の可否を判定することを特徴とする付記７乃至１０の何れかに記載の通信システム。
（付記１３）  基地局装置に接続された複数の光終端装置とＰＯＮで接続され、前記ＰＯＮを介し前記基地局装置と通信する制御装置に接続された光端局装置の通信制御方法において、
前記制御装置から前記基地局装置へのスリープ要求を検出し、
前記スリープ要求の要求先の前記基地局装置と所定の関係にある他の前記基地局装置の前記ＰＯＮ内の不足帯域に基づき、前記スリープ要求に従い要求先の前記基地局装置をスリープ状態とする処理の可否を判定し、
前記処理を不可と判定した場合、前記スリープ要求を廃棄し、
前記処理を可能と判定した場合、前記スリープ要求を要求先の前記基地局装置へ転送することを特徴とする通信制御方法。
（付記１４）  前記処理を可能と判定した場合、前記複数の光終端装置のうち、要求先の前記基地局装置に接続された光終端装置をスリープ状態とすることを特徴とする付記１３に記載の通信制御方法。
（付記１５）  前記複数の光終端装置の各々からの帯域の要求に応じて前記ＰＯＮ内の帯域を前記複数の光終端装置の各々に割り当て、
前記複数の光終端装置のうち、前記スリープ要求の要求先の前記基地局装置と所定の関係にある他の前記基地局装置に接続された光終端装置から要求された帯域が、該光終端装置に割り当てられた帯域以上である場合、前記処理を不可と判定することを特徴とする付記１３または１４に記載の通信制御方法。
（付記１６）  時刻を計時し、
前記時刻に応じて、前記複数の光終端装置のうち、前記基地局装置に接続された一部の光終端装置及び前記基地局装置以外の他装置に接続された他の光終端装置の一方に対して他方より優先的に帯域を割り当てることを特徴とする付記１５に記載の通信制御方法。
（付記１７）  前記スリープ要求を検出したとき、前記基地局装置の位置を示す位置情報に基づき、前記スリープ要求の要求先の前記基地局装置から所定の距離内に位置する他の前記基地局装置を検索し、
検索された前記基地局装置の前記ＰＯＮ内の不足帯域に基づき、前記処理の可否を判定することを特徴とする付記１３乃至１６の何れかに記載の通信制御方法。
（付記１８）  前記スリープ要求を検出したとき、前記基地局装置が属するグループを示すグループ情報に基づき、前記スリープ要求の要求先の前記基地局装置と同じグループに属する他の前記基地局装置を検索し、
検索された前記基地局装置の前記ＰＯＮ内の不足帯域に基づき、前記処理の可否を判定することを特徴とする付記１３乃至１６の何れかに記載の通信制御方法。
【符号の説明】
【０１４９】
１       光端局装置（ＯＬＴ）
２ａ〜２ｅ      光終端装置（ＯＮＵ）
３ａ〜３ｃ      基地局装置
４ａ，４ｂ      ＮＷ装置
５       無線ＮＷ制御装置
１３１      要求検出部
１３２      ＯＮＵ制御部
１３３      スリープ可否判定部
【図１】
2017118463.tif 000003
【図２】
2017118463.tif 000004
【図３】
2017118463.tif 000005
【図４】
2017118463.tif 000006
【図５】
2017118463.tif 000007
【図６】
2017118463.tif 000008
【図７】
2017118463.tif 000009
【図８】
2017118463.tif 000010
【図９】
2017118463.tif 000011
【図１０】
2017118463.tif 000012
【図１１】
2017118463.tif 000013